Podtech/llm-jp-corpus-v4-ja_patent huggingface dataset:
(57)【要約】  【課題】  ペットを飼う家庭で手軽に排泄物を処理でき、衛生面を改善できるペット用トイレを提供すること。  【解決手段】  枠内が収容室１となっている枠状体２と、前記枠の上方部分に形成された載置部４と、載置部４の前方側及び後方側に設けられた凹部５と、を備え、枠状体２の載置部４には板状体３が載置され、板状体３は、前方側及び後方側に手持部８を有し、かつ、大小二つのサイズの複数の貫通孔６、７を有し、板状体３の下面には、支持脚９が形成された、ペット用トイレを提供する。板状体３を、収容室１床面と所定間隔を隔てた状態で、枠状体２に載置することにより、ペットを飼う家庭で極めて手軽に排泄物を処理することができ、これにより、衛生面を改善することができる。【選択図】図１
0003130588.tif 000002
【実用新案登録請求の範囲】
【請求項１】
枠内が収容室（１）となっている枠状体（２）と、前記枠の上方部分に形成された載置部（４）と、前記載置部（４）の前方側及び後方側に設けられた凹部（５）と、を備え、
前記枠状体（２）の前記載置部（４）には板状体（３）が載置され、
前記板状体（３）は、前方側及び後方側に手持部（８）を有し、かつ、大小二つのサイズの複数の貫通孔（６、７）を有し、
前記板状体（３）の下面には、複数の支持脚（９）が形成された、ペット用トイレ。
【考案の詳細な説明】
【技術分野】
【０００１】
本考案は、ペット用トイレに関する。より詳細には、ペットの排泄物をきれいに処理するためのペット用トイレに関する。
【背景技術】
【０００２】
一般的に、家庭内で飼われているペットは、特定の場所で排泄を行うようにしつけられている。そのため、ペットは、特定の場所（または、特定のペット用トイレ）で排泄を行う。
【０００３】
しかしながら、従来のペット用トイレは、単なる板材、容器、新聞紙、砂、パッドなどを特定の場所に置くだけであった。そのため、ペットは、排泄を行った後、足などに排泄物を付着させた状態で歩き回り、周りの床面を汚損させてしまうことがあった。即ち、衛生面に問題があった。
【０００４】
加えて、従来のペット用トイレは、排泄物の回収・処理作業に手間がかかるという課題があり、この課題を改善できるペット用トイレが切望されている。
【特許文献１】特開平８−５６５２２号
【考案の開示】
【考案が解決しようとする課題】
【０００５】
本考案は、上記事情に鑑みてなされたものであり、本考案は、ペットを飼う家庭で手軽に排泄物を処理でき、衛生面を改善できるペット用トイレを提供することを主な目的とする。
【課題を解決するための手段】
【０００６】
上記課題を解決するために、本考案は、枠内が収容室となっている枠状体と、前記枠の上方部分に形成された載置部と、前記載置部の前方側及び後方側に設けられた凹部と、を備え、前記枠状体の前記載置部には板状体が載置され、前記板状体は、前方側及び後方側に手持部を有し、かつ、大小二つのサイズの複数の貫通孔を有し、前記板状体の下面には、複数の支持脚が形成された、ペット用トイレを提供する。
【０００７】
板状体を、収容室床面と所定間隔を隔てた状態で、枠状体に載置することにより、小便を、簡便に収容室１に回収でき、また、ペット糞を、板状体上に置かれた状態のまま、板状体ごと、枠状体から外して回収し洗浄することができる。
従って、ペットを飼う家庭で極めて手軽に排泄物を処理することができ、これにより、衛生面を改善することができる。
【考案を実施するための最良の形態】
【０００８】
図１は、本考案に係るペット用トイレＡを示す外観斜視模式図、図２は、同じく分解斜視模式図、図３は、同じく上面模式図、図４は、同じく断面模式図である。
【０００９】
ペット用トイレＡは、合成樹脂、耐腐食性に優れたステンレス鋼など各種の材質からなる、収容室１を枠内に有する略四角形状の枠状体２と、枠状体２の収容室１上に、所定間隔、隔てた状態で載置される板状体３と、を備える。
【００１０】
収容室１の内壁面上方部分には、板状体３を載置する載置部４が外周方向に沿って一体に形成されている。前方側及び後方側の壁面には、板状体３の脱着時に手を入れるための凹部５が設けられている。
【００１１】
板状体３は各種形状に形成することができる。図示例では、板状体３上に、大小二つのサイズの複数の貫通孔（６、７）を形成するとともに、板状体の中央付近に大きいサイズの貫通孔６を上方視骨形状に配置してデザイン性を高めている。
【００１２】
板状体３の前方側及び後方側には手持部（８）を形成し、また、板状体３を一層安定的に載置できるように、板状体３の裏面には、各角部分の近傍に、四つの支持脚９をそれぞれ形成している。
【００１３】
図中、符号１０は収容室１の床面に敷かれるパッド、砂、新聞紙などを示す。
【００１４】
本発明に係るペット用トイレＡは、例えば、ペットが排泄する個所に常時配置して用いる。このペット用トイレＡを用いることにより、ペットが排泄をしたときに迅速に排水及び回収して掃除できる。
【００１５】
続いて、本考案のペット用トイレＡの使用方法の一例について、以下説明する。
【００１６】
収容室１の床面にはパッド、砂、新聞紙１０などを敷き、その上に、板状体３を収容室１に所定間隔だけ隔てた状態で載置する。
【００１７】
この状態で、ペットが板状体３の上部から小便をすれば、小便は、多数の密に形成された大小二つのサイズの貫通孔６，７を迅速に通過し、収容室１内のパッドや砂、新聞紙１０に落下する。その結果、板状体３上には小便がほとんど貯留しないため、ペットの足に小便がつくことを極力抑えることができる。
【００１８】
一方、ペットが糞をした場合、板状体３の手持部８を持ち、枠状体２から板状体３を取り外し、ペット糞を回収してトイレなどで処理した後、ペット糞のついた板状体３を洗浄水と洗浄ブラシなどにより洗浄するなどの方法により、簡単にペット糞を処理することができる。
【００１９】
さらに、収容室１の内部に敷かれているパッド、砂、新聞紙１０などを、収容室１から取り出して新しいものに敷き換えることにより、収容室１の内部の掃除も簡単に行える。
【産業上の利用可能性】
【００２０】
上述の通り、板状体を、収容室床面と所定間隔を隔てた状態で、枠状体に載置することにより、小便を、簡便に収容室１に回収でき、また、ペット糞を、板状体上に置かれた状態のまま、板状体ごと、枠状体から外して回収し洗浄することができる。
従って、ペットを飼う家庭で極めて手軽に排泄物を処理することができ、これにより、衛生面を改善することができる。
【図面の簡単な説明】
【００２１】
【図１】本考案の好適な実施形態の例を示す外観斜視模式図である。
【図２】本考案の好適な実施形態の例を示す分解斜視模式図である。
【図３】本考案の好適な実施形態の例を示す上面模式図である。
【図４】本考案の好適な実施形態の例を示す断面模式図である。
【符号の説明】
【００２２】
１      収容室
２      枠状体
３      板状体
４      載置部
５      凹部
６，７  貫通孔
８      手持部
９      支持脚
Ａ      ペット用トイレ
【図１】
0003130588.tif 000003
【図２】
0003130588.tif 000004
【図３】
0003130588.tif 000005
【図４】
0003130588.tif 000006
(57)【要約】【課題】複合光機能および最適照明効果を有し、実用性を増加できるサイド発光ＬＥＤの構造を提供すること。【解決手段】ベースと、フレームと、少なくとも三つのチップとを含み、該ベースの前側にはディンプルが設けられ、該フレームがベースのディンプル内に固着され、且つ、それぞれのチップがディンプル内のフレームに電気的に接続され、チップの上縁からディンプルの頂面までの深さが０．３ｍｍ〜３ｍｍに介在され、該ゾルがベースのディンプル内に設けられる。【選択図】図２
0003130526.tif 000002
【実用新案登録請求の範囲】
【請求項１】
前側にはディンプルが設けられたベースと、
ベースのディンプル内に固着され、前記ベースの側面に設けられた複数のピンが延出しているフレームと、
ディンプル内のフレームに電気的に接続され、且つチップ上縁からディンプルの頂面までの深さが０．３ｍｍ〜３ｍｍに介在される少なくとも三つのチップと、
ベースのディンプル内に設けられ、前記それぞれの素子を一体に結合したゾルとを含むことを特徴とするサイド発光ＬＥＤ構造。
【請求項２】
前記フレームが延出している複数のピンが屈折状になることを特徴とする請求項１に記載のサイド発光ＬＥＤ構造。
【請求項３】
前記複数の屈折状ピンの各隣接する２ピンが、ベースの側面に逆方向に配列されていることを特徴とする請求項２に記載のサイド発光ＬＥＤ構造。
【考案の詳細な説明】
【技術分野】
【０００１】
本考案は、複合光機能および最適照明効果を有するサイド発光ＬＥＤの改良した構造に係わり、特に、バックライトモジュールやサイド発光ダイオード或は類似装置に適応可能なサイド発光ＬＥＤ構造に関するものである。
【背景技術】
【０００２】
最も早期の発光ダイオードは、フレームの凹み部にチップを置き、さらにダイボンディング、ワイヤボンディングおよびパッケージなどのステップを経ってから、単個の発光ダイオードになる。このような単個の発光ダイオードは、一般に戸外の情報看板や交通信号ランプおよび自動車のブレーキランプに用いられる場合が多い。
【考案の開示】
【考案が解決しようとする課題】
【０００３】
近年、発光ダイオードは、バックライトモジュールの発光源として、バックライトモジュールに適応されてきた。このようなバックライトモジュールとしての発光ダイオードは、主に、内部の三種の原色チップから光および複合光を発光し、様々な色の光源を発生する。発光ダイオードの照明効果を増加するためには、発光ダイオードの外観がベース形状に設けられ、ベースの前側にディンプルが形成され、ディンプルの頂面にディンプルを封止するためのシートが固着され、ディンプル内に少なくとも三つのチップが埋設けられ、それぞれのチップがフレームに電気的に連結され、フレームのピンが屈折されベースの側面に配列されている。さらに、発光ダイオード内のそれぞれのチップから発する光が複合した後に、封止ディンプルを経って集光した後に、さらにベースの頂面から投射して出ていくことで照明効果が増加する。
【０００４】
従来のバックライトモジュールに用いる発光ダイオードは、照明効果を増加したが、好ましい照明状態には尚差があるため、使用者の要求に符合するためには改良する必要がある。
【０００５】
本考案は、以上の従来のバックライトモジュールに適応する発光ダイオードの欠点および制限を鑑みて成されたものである。
本考案の主な目的は、複合光機能および最適照明効果を有し、実用性を増加できるサイド発光ＬＥＤ構造を提供することにある。
【課題を解決するための手段】
【０００６】
前記した目的を達成するために、本考案は、ベースと、フレームと、少なくとも三つのチップとを含み、該ベースの前側にはディンプルが設けられ、該フレームがベースのディンプル内に固着され、且つ、それぞれのチップがディンプル内のフレームに電気的に接続され、チップの上縁からディンプルの頂面までの深さが０．３ｍｍ〜３ｍｍに介在され、該ゾルがベースのディンプル内に設けられ、よって、複合光機能および最適照明効果を有する発光ダイオードになる。
【０００７】
また前記フレームには複数のピンが屈折状に延出したことを特徴とする。
また前記複数の屈折状ピンの各隣接する２つのピンは、ベースの側面に逆方向に配列されていることを特徴とする。
【考案を実施するための最良の形態】
【０００８】
以下に図面を参照しながら本考案に係る好ましい実施例について詳しく説明する。
【０００９】
図１〜図３に示すように、本考案に係るサイド発光ＬＥＤの構造はベース１０を含む。
該ベース１０の底部中央には凹み部１１が設けられ、且つ該ベース１０の底部の一側に隅切り１２が形成されている。
該ベース１０の頂部にディンプル１３が形成され、該ディンプル１３の前後左右には傾斜角度がそれぞれ設けられるとともに、該ディンプル１３内にフレーム２０が固着される。
該フレーム２０上に少なくとも三つのチップ３０が設置される。
それぞれのチップ３０はフレーム２０に電気的に接続される。
また、このチップ３０の上縁からディンプル１３の頂面までの深さｈが０．３ｍｍ〜３ｍｍに介在され、且つ、該ディンプル１３内にゾル１４が設けられ、ディンプル１３を封止させる。
【００１０】
また、該フレーム２０の一側には複数のピン２１が延出される。
該複数のピン２１は屈折状を呈していて、これらの屈折状ピンの各隣接する２つのピンが、ベース１０に対して逆方向に配列されている。
【００１１】
そして本考案に係るサイド発光ＬＥＤを使用する時には、該ベース１０のディンプル１３内の各チップ３０が、光および複合光を発光し様々な色の光源を発生するため、各チップ３０から発する光線が、該チップ３０の上縁からディンプル１３の頂面までの深さｈが０．３ｍｍ〜３ｍｍに介在されるような設計により、それぞれのチップ３０が発する光線をディンプル１３を経って集光させた後に、該ゾル１４を介して投射し出ていき照明効果を増加させる。
【００１２】
以上のように、本考案は、ベースの頂部には特定深さのディンプルが形成され、ディンプル内に少なくとも三つのチップが設けられたので、本考案のベースのディンプル内にはそれぞれのチップが光および複合光を発してから、ディンプルで集光され最適な照明効果を発生できる。
【００１３】
尚、前記に開示された構成は、単に本考案の好ましい実施例に過ぎなく、本考案の特徴を局限するものではなく、当業者が適宜行なう変換や修飾などが本考案の請求の範囲に含まれるべきことは言うまでもないことである。
【図面の簡単な説明】
【００１４】
【図１】図１は、本考案の斜視図である。
【図２】図２は、図１のＡ−Ａ方向の断面図である。
【図３】図３は、図１のＢ−Ｂ方向の断面図である。
【符号の説明】
【００１５】
１０・・・ベース
１１・・・凹み部
１２・・・隅切り
１３・・・ディンプル
１４・・・ゾル
２０・・・フレーム
２１・・・ピン
３０・・・チップ
ｈ・・・・深さ
【図１】
0003130526.tif 000003
【図２】
0003130526.tif 000004
【図３】
0003130526.tif 000005
(57)【要約】      （修正有）【課題】簡単な操作で容易に所望の角度に連結出来るパイプと継手を提供する。【解決手段】予め直線状に少なくとも１本のライン２を設けたパイプ１と、このラインと合わせることにより所望の角度が得られる継手５の箇所にマーキング６を施したパイプと継手との組み合わせ構造を使用すること。【選択図】図１
0003130572.tif 000002
【実用新案登録請求の範囲】
【請求項１】
予め直線状に少なくとも１本のラインを設けたパイプと、このラインと合わせることにより、所望の角度が得られる継手の箇所にマーキングを施した、パイプと継手との組み合わせ構造。
【請求項２】
予め水平になる基準をマーキングした継手を用いる、水平配管工事用の請求項１に記載のパイプと継手との組み合わせ構造。
【考案の詳細な説明】
【技術分野】
【０００１】
本考案は配管工事に於いて、パイプと継手とを接続する為に使用されるパイプと継手との組合せの構造に関する。
【背景技術】
【０００２】
従来配管工事に於いて、配管を異なった方向に設置する際に、パイプに継手を連結して工事を行うのが通常である。例えばパイプを９０°の角度に曲げて配管する場合には、９０°の角度に湾曲する継手を直線状のパイプに連結するものである。
【０００３】
配管工事に於いては、継手を用いて配管する場合、その殆んどは曲がり角度はほぼ１８０°，９０°，４５°であり、パイプに継手を連結する場合、配管の工事現場で、分度器等を用いて１つ１つその角度を測定して、パイプと継手とを連結している。この為に、工事に手間と時間を要するだけでなく、その曲がり角度も不正確になる事が多く、現在簡単な手段で、短時間に、しかも正確に、パイプと継手とを連結出来る手段が強く要望されている。
【０００４】
配管工事に於いては、パイプを水平に維持して配管する場合も多く、この場合は、従来は水準器やサシ金を用いて、水平を確認して連結を行っているが、いちいち水準器等を使用しなくてはならず、その能率が極めて悪く、煩雑な操作と時間を要し、しかもその水平基準の精度が悪く、不良品が多く出るという難点がある。  
【考案の開示】
【考案が解決しようとする課題】
【０００５】
本考案が解決しようとする課題は、上記従来の配管工事に於けるパイプと継手との連結工事の難点を解消することであり、これを換言すると以下の通りである。即ちパイプと継手との連結に於いては、両者を１つ１つその角度を測定して固定して連結するという煩雑で手間と時間を要する事なく、簡単に、しかも確実に所望する角度で精度良く連結する事が出来る手段を開発する事であり、また水平工事についても、水準器等の使用という煩雑な操作を行う事なく、しかも精度の高い水平工事が可能と成る手段を開発する事である。
【課題を解決するための手段】
【０００６】
この課題は、図１に示す通り、パイプの直線方向に予め直線状ラインを設けておき、パイプに連結すべき継手には、予め所望する角度となるマーキングを設けて、これ等パイプと継手との組合せ構造を使用することにより解決される。そしてその使用に際しては、パイプを所望の長さに切断した時に生ずるケガキとマーキングを合わせて連結すれば良い。また更には、水平工事の場合には例えば図２に示す様に継手に設けるマーキングを水平になる様に設定し、上記と同様にパイプのケガキと合致させる事により、確実に水平が保たれる。
【０００７】
本考案に於いては、図１に示す通りパイプ（１）の直線方向に少なくとも１本のライン（２）を予め設け、このパイプ（１）を所望する長さに切断した時、そのラインの切断部（４）にケガキ（３）が形成されている。一方このパイプ（１）に連結すべき継手（５）には、所望する連結方向の角度に合ったマーキング（６）を例えば１８０°，９０°，４５°等になる様にやはり予め設けておく。この様に本考案にはこれ等パイプ（１）と継手（５）との組合せの構造に係るものであり、このマーキング（６）とケガキ（３）とを合致させることにより、所望する角度で、両者を連結することが出来る。
【０００８】
また水平工事を行う場合は、図２に示す通り、継手に水平な基準が得られるようなマーキング（６）を予め設けておき、これをパイプ（切断したパイプ）のケガキと合わせることにより、水平な配管が出来る。
【考案の効果】
【０００９】
本考案に於いては、パイプに直線状のラインを設け、使用時に所望の長さに切断した時に現出するケガキを、連結すべき継手のマーキングと合わせる事により、極めて簡単に所望の角度でパイプに継手を連結する事が出来る。そしてその角度も極めて高い確率で正しく設ける事が出来る。
【００１０】
またこの際、水平工事を行う場合には、やはり継手に予め設けた水平用マーキングをパイプのパイプのケガキと合致させる事により、極めて簡単に水平設置工事を行う事が出来、加えて極めて正確に水平のラインが得られる。
【考案を実施するための最良の形態】
【００１１】
本考案のパイプと継手の組合せについて以下に図面を用いて詳しく説明する。
【００１２】
本考案のパイプ１は図１に示す通りその直線方向に、ライン（２）が設けられている。このライン（２）は、予め設けておいても良く、また工事現場で工事の開始前に設けても良い。ライン（２）自体は、工事時に作業者が認識出来る限り、何等その大きさや色調は限定されない。その代表的なものは、細い線状のラインであり、パイプ（１）の直線方向に少なくとも１本有れば良い。そしてパイプの使用時に所望の長さに切断した時に、パイプの切断面（４）にケガキ（３）が形成される事となる。
【００１３】
パイプ（１）自体は、広い範囲で各種の材質の各種のサイズのものが使用される。
【００１４】
連結すべき継手（５）にはケガキと合わせて、所望の角度が得られる様に、マーキング（６）が設けられている。継手（５）としても各種のものが広く使用出来、たとえばチーズ、エルボ、フランジ等が使用出来る。水平工事の場合も同様であり、各種のパイプや継手が使用出来る。
【図面の簡単な説明】
【００１５】
【図１】図１は、本考案のパイプと継手を示す説明図である。
【図２】図２は、本考案のパイプと継手とを使用して水平工事を行う際の説明図である。
【符号の説明】
【００１６】
１：  パイプ
２：  ライン
３：  ケガキ
４：  パイプの切断面
５：  継手
６：  マーキング
７：  直角方向を合わせる箇所
８：  切断したパイプ
９：  マーキングとケガキとを合わせる箇所
１０：マーキングとマーキングとを合わせる箇所  
【図１】
0003130572.tif 000003
【図２】
0003130572.tif 000004
(57)【要約】      （修正有）【課題】肘、膝周辺の疲労を和らげるだけでなく、手首、肩、腰の疲労も和らげる効果もあるサポーターを提供する。【解決手段】従来のサポーターを改良し鉱石を取付て疲労回復の効用を活かせる様に改良し、帯状袋２に鉱石３を取付てツボを刺激し疲労を和らげるものである。尚、鉱石玉は大小色々な組合せが出来る。【選択図】図３
0003130598.tif 000002
【実用新案登録請求の範囲】
【請求項１】
従来のサポーターに肘、膝用の曲げ部に図１の▲４▼の穴を開け穴の周り内側に図１の▲３▼の鉱石加工を施し曲げ部の内側には取外し出来る様に図２の▲２▼帯状袋に鉱石を入れ、図１の▲１▼は肘、膝用で兼用し、図３に示す▲５▼、▲６▼で肘、膝用に加工し肘、膝の表裏のツボを刺激し、且つ手首、肩、腰にも刺激を与え疲労を和らげる肘、膝兼用疲労回復取外しサポーター。
【考案の詳細な説明】
【技術分野】
【０００１】  本考案は、肘、膝の曲げ部表、内側に鉱石を肘、膝裏に帯状袋に鉱石を取付たバンドサポーターに関するもの。
【背景技術】
【０００２】  従来のサポーターは単に肘、膝部分を締付けるだけの物でした。
【考案が解決しようとする課題】
【０００３】  従来のサポーターは単に肘、膝部分を締付ける物だが、今回の改良は肘、膝表裏鉱石を取付てツボを刺激し肘、膝周辺の疲労を和らげるだけでなく、手首、肩、腰の疲労も和らげる効果もあり従来のサポーターの欠点を解決したものである。
【課題を解決するための手段】
【０００４】  本考案はサポーターを改良し、表裏共に鉱石を取付、表側の曲げ部に穴を開け内側に鉱石を裏側の曲げ部に帯状袋を使用し鉱石を取付て従来のサポーターの問題点を解決したものである。
【考案を実施するための最良の形態】
【０００５】  本考案は、従来のサポーターの曲げ部の正面を丸く空け肘、膝頭に負担を掛けない様にし、表裏共に鉱石が肘、膝表裏を刺激し疲労を和らげる様に解決した物である。
【実施例】
【０００６】  以下、添付図３に従って一実施例をする。▲１▼▲６▼は従来のサポーターを加工した品物で▲２▼は▲１▼▲４▼に繋がる鉱石を入れる帯状袋であり、▲３▼は鉱石玉で▲２▼に挿入して使用し▲６▼は▲１▼との接続で▲５▼のテープで取付け肘、膝に併用出来る様に解決した物である。
【考案の効果】
【０００７】  上述の様に、本考案の求める肘、膝兼用疲労回復取外しバンドサポーターは肘、膝筋肉周りの押圧は勿論、肘、膝表裏のツボを刺激し疲労を和らげる効果の効用を解決したものである。
【図面の簡単な説明】
【０００８】
【図１】本考案の一実施例を示す正面図である。
【図２】本考案の側面図である。
【図３】本考案の断面図である。
【符号の説明】
【０００９】▲１▼      肘、膝当て改良サポーター本体
▲２▼      帯状袋
▲３▼      鉱石
▲４▼      肘、膝頭部
▲５▼      マジックテープ
▲６▼      接続用サポーター
【図１】
0003130598.tif 000003
【図２】
0003130598.tif 000004
【図３】
0003130598.tif 000005
【手続補正書】
【提出日】平成18年11月21日(2006.11.21)
【手続補正１】
【補正対象書類名】実用新案登録請求の範囲
【補正対象項目名】全文
【補正方法】変更
【補正の内容】
【実用新案登録請求の範囲】
【請求項１】
一般的な肘、膝等で使用しているサポーターを加工し、肘、膝の曲げ部の正面に穴を空けて穴の周囲内側に加工した帯状袋に鉱石を入れて取付て肘、膝で兼用できる様にし、肘、膝の裏には取外し出来る様に加工した面ファスナーを使用した接続用サポーターに鉱石を入れた帯状袋を取付て、鉱石がツボに当る箇所を面ファスナーで移動しツボを刺激して、且つ手首、肩、腰にも刺激を与え疲労を和らげる肘、膝兼用疲労回復取外しサポーター。
【手続補正２】
【補正対象書類名】明細書
【補正対象項目名】０００９
【補正方法】変更
【補正の内容】
【０００９】  ▲１▼      肘、膝当て改良サポーター本体
▲２▼      帯状袋
▲３▼      鉱石
▲４▼      肘、膝頭部
▲５▼      面ファスナー
▲６▼      接続用サポーター
【手続補正３】
【補正対象書類名】図面
【補正対象項目名】図２
【補正方法】変更
【補正の内容】
【図２】
0003130598.tif 000006
【手続補正４】
【補正対象書類名】図面
【補正対象項目名】図３
【補正方法】変更
【補正の内容】
【図３】
0003130598.tif 000007
(57)【要約】      （修正有）【課題】寝たっきり病人を対象として作ったので看護人が容易にオムツの交換ができ、容易に体温を計る事が出来る様にしたパジャマの提供。【解決手段】ズボンの両横腹部にはズボンの裾の方まで開閉する面ファスナーを設け、上衣の胸の部分に体温計の出し入れ口を設けた介護用パジャマ。【選択図】図３
0003130595.tif 000002
【実用新案登録請求の範囲】
【請求項１】
パジャマにおいて、ズボンの両横（図２）にズボンの裾の方まで開閉する長いファスナーを設けました。
ズボンの腰部の両側（図３）にマジックテープを設けた介護用パジャマです。
【請求項２】
パジャマにおいて、上衣の右左の胸（図１）の少なくとも一方の部分に体温計の出し入れ口を設けた。
請求項１記載の介護用パジャマ。
【考案の詳細な説明】
【技術分野】
【０００１】ズボンは両側横に、ファスナーを長く付ける事とする。【０００２】普通のパジャマ上衣に、体温計を何時でも出し入れ出来る様に２０センチ位のあき部分を右左に作る。
【背景技術】
【０００３】介護用品として、最も今重要視される様になってき寝たっきりになった人に簡単に着せたり脱がせたり出来る。
お尻あてに防臭シートを使用するものとして考案したものです。【０００４】高齢者や病人に必需品である、パジャマを簡単に着せたり脱がせたりするのに看護人が楽になる事を目的とする。【０００５】実用新案登録３１０８３９０号及び特開く２００５−５４３１７。
【考案の開示】
【考案が解決しようとする課題】
【０００６】パジャマのズボン部分の脱着（オムツの取替え）が容易にできる事である。【０００７】上衣についても上記同様、病人の身体を半回転さ身体の下にそれを敷き元に戻して着せる。
【考案を解決する為の手段】
【０００８】看護人が力をいれずに、オムツの取替えが出来、ズボンの上（ウエスト）はマジックテープでとめる。
【０００９】上衣についても同様であるボタンを外す事無く体温計を出し入れ出来る事が特長である。
【考案の効果】
【００１０】看護人が非常に楽になる。
【考案を実施する為の最良の形態】
【００１１】作成にあたり、パジャマについては右左体温計の差し入れ口があれば場所、方向、関係なく差し入れ、たいおんを計る事が出来る。
【図面の簡単な説明】
【００１２】
【図１】パジャマの上衣を示す。
【図２】パジャマのズボンを示す。
【図３】パジャマのズボンのファスナーを開けた状態図を示す。
【図４】パジャマのズボンを側面からみた図を示す。
【符号の説明】
【００１３】１、パジャマの上衣で体温計の差し入れ口。
２、パジャマのズボンの両横ファスナーの部分。
３、腰（ウエスト）のマジックテープの部分。
４、尻当ての部分。
【図１】
0003130595.tif 000003
【図２】
0003130595.tif 000004
【図３】
0003130595.tif 000005
【図４】
0003130595.tif 000006
【手続補正書】
【提出日】平成18年8月31日(2006.8.31)
【手続補正１】
【補正対象書類名】実用新案登録請求の範囲
【補正対象項目名】全文
【補正方法】変更
【補正の内容】
【実用新案登録請求の範囲】
【請求項１】
パジャマにおいて、ズボンの両横にズボンの裾の方まで開閉する長いファスナーを設け、ズボンの腰部の、面ファスナーを設けた介護用パジャマ。
【請求項２】
パジャマにおいて、上衣の胸の部分に体温計の出し入れ口をもうけた事を特徴とする。
請求項１記載の介護用パジャマ
【手続補正２】
【補正対象書類名】明細書
【補正対象項目名】全文
【補正方法】変更
【補正の内容】
【考案の詳細な説明】
【技術分野】
【０００１】ズボンは両側横に、ファスナーを長く付ける事とする。【０００２】普通のパジャマ上衣に、体温計を何時でも出し入れ出来る様に２０センチ位のあき部分を右左に作る。
【背景技術】
【０００３】介護用品として、最も今重要視される様になってき寝たっきりになった人に簡単に着せたり脱がせたり出来る。
お尻あてに防臭シートを使用するものとして考案したものです。【０００４】高齢者や病人に必需品である、パジャマを簡単に着せたり脱がせたりするのに看護人が楽になる事を目的とする。【０００５】実用新案登録３１０８３９０号及び特開〈２００５−５４３１７。
【考案の開示】
【考案が解決しようとする課題】
【０００６】パジャマのズボン部分の脱着（オムツの取替え）が容易にできる事である。【０００７】上衣についても上記同様、病人の身体を半回転さ身体の下にそれを敷き元に戻して着せる。
【考案を解決する為の手段】
【０００８】看護人が力をいれずに、オムツの取替えが出来、ズボンの上（ウエスト）は面ファスナーでとめる。
【０００９】
0003130595.tif 000007
来る事が特長である。
【考案の効果】
【００１０】看護人が非常に楽になる。
【考案を実施する為の最良の形態】
【００１１】作成にあたり、パジャマについては右左体温計の差し入れ口があれば場所、方向、関係なく差し入れ、たいおんを計る事が出来る。
【図面の簡単な説明】
【００１２】
【図１】パジャマの上衣を示す。
【図２】パジャマのズボンを示す。
【図３】パジャマのズボンのファスナーを開けた状態図を示す。
【図４】パジャマのズボンを側面からみた図を示す。
【符号の説明】
【００１３】１、パジャマの上衣で体温計の差し入れ口。
２、パジャマのズボンの両横ファスナーの部分。
３、尻当ての部分。
【手続補正３】
【補正対象書類名】図面
【補正対象項目名】全図
【補正方法】変更
【補正の内容】
【図１】
0003130595.tif 000008
【図２】
0003130595.tif 000009
【図３】
0003130595.tif 000010
【図４】
0003130595.tif 000011
【手続補正書】
【提出日】平成18年12月18日(2006.12.18)
【手続補正１】
【補正対象書類名】実用新案登録請求の範囲
【補正対象項目名】全文
【補正方法】変更
【補正の内容】
【実用新案登録請求の範囲】
【請求項１】
パジャマにおいて、ズボンの両横腹部にはズボンの裾の方まで開閉する面ファスナーを設けたことを特徴とする介護用パジャマ
【請求項２】
パジャマにおいて、上衣の胸の部分に体温計の出し入れ口を設けたことを特徴とする請求項１記載の介護用パジャマ
【手続補正２】
【補正対象書類名】明細書
【補正対象項目名】００１３
【補正方法】変更
【補正の内容】
【００１３】  １．パジャマの上着の体温計の差し入れ口
２．パジャマのズボンの両横ファスナーの部分
３．尻当ての部分
４．面ファスナー
【手続補正３】
【補正対象書類名】図面
【補正対象項目名】全図
【補正方法】変更
【補正の内容】
【図１】
0003130595.tif 000012
【図２】
0003130595.tif 000013
【図３】
0003130595.tif 000014
【図４】
0003130595.tif 000015
(57)【要約】      （修正有）【課題】気温の低い時パソコンキーボードは手先が冷えるので体温程度に温度を上げキーボードの操作を快適にする。【解決手段】炭素を塗布乾燥した電気抵抗体に通電する。本考案はパソコンキーボードのプラスチックケースの内部或いは底の広さに見合う電気抵抗炭素フイルムを貼り付けこれに５Ｖ内外の電圧を加え、ジュール熱により約３６℃前後に暖房する。【選択図】図１
0003130594.tif 000002
【実用新案登録請求の範囲】
【請求項１】
パソコンキーボードの底部或いは内部スイッチングフイルムの下に炭素塗料印刷の電気抵抗体のフイルムを貼り付けキーボードを
暖房するフイイルム
【考案の詳細な説明】
【技術分野】
【０００１】本考案は、パソコンキーボードの内部又は底部に炭素電気抵抗フイルムを貼り付けて低電圧の電流でジュール熱を得キーボードを暖房するものである。
【背景技術】
【０００２】従来パソコンキーボードは暖房されて無かった。
【考案が解決しようとする課題】
【０００３】  気温の低い時パソコンキーボードは手先が冷えるので体温程度に温度を上げキーボードの操作を快適にする。
【課題を解決するための手段】
【０００４】炭素を塗布乾燥した電気抵抗体に通電する。
【考案を実施するための最良の形態】
【０００５】  本考案はパソコンキーボードのプラスチックケースの内部或いは底の広さに見合う電気抵抗炭素フイルムを貼り付けこれに５Ｖ内外の電圧を加え
ジュール熱により約３６℃前後に暖房する。
【考案を実施するための最良の形態】
【０００６】  図１は、本考案のパソコンキーボード実施概略図である。
【考案の効果】
【０００７】  本考案はキーボードの底に炭素ヒーターを取り付けそこより表面のプラスチックボードを透過した、暖房と同時に遠赤外線の効果を狙ったものである。
【図面の簡単な説明】
【０００８】
【図１】  キーボードの表面と横から見た図である
【図２】  キーボードの裏面のプラスチックの板に抵抗フイルムを貼り付けた内面の図である。
【図３】  キーボードの裏面のプラスチックの板に抵抗フイルムを貼り付けた外面の図である。
【符号の説明】
【０００９】  Ａ    キーボードの表面
Ｂ    キーボードの側面
ｃ    キーボードの底板のプラスチック板の内面
ｄ    キーボードの底板のプラスチック板の外面
Ｅ    底板に貼り付けた炭素フイルムヒーター
Ｆ    底板に貼り付けた炭素フイルムヒーター
Ｇ    リード線
Ｈ    リード線
【図１】
0003130594.tif 000003
【図２】
0003130594.tif 000004
【図３】
0003130594.tif 000005
【手続補正書】
【提出日】平成18年8月30日(2006.8.30)
【手続補正２】
【補正対象書類名】実用新案登録請求の範囲
【補正対象項目名】全文
【補正方法】変更
【補正の内容】
【実用新案登録請求の範囲】
【請求項１】
炭素塗料印刷の電気抵抗体のフイルムに通電発熱し之をパソコンキーボードの内面又は底の面に配置して暖房する事を特徴とする、パソコンキーボード。
【手続補正３】
【補正対象書類名】明細書
【補正対象項目名】０００７
【補正方法】変更
【補正の内容】
【０００７】本考案はキーボードプラスチック底板の上面か下面に貼り付けた炭素フイルムより約３６℃の熱を発すると同時にこれより多量の遠赤外線を放射し唯手先の暖房だけでなし従来研究されて来た遠赤外線の効果により、手先の内部４０ｍｍ〜５０ミリまで浸透し毛細血管の血液循環を促し、キーボード表面の乾燥殺菌作用があり周辺の水分子を活性化させる、手先の皮膚に良い効果を与え肩こりいらいら防止に効果があり仕事の能率をあげる。
【手続補正４】
【補正対象書類名】明細書
【補正対象項目名】０００９
【補正方法】変更
【補正の内容】
【０００９】  Ａ  キーボードの表面
Ｂ  キーボードのＢ−Ｂの切断面
Ｃ  キーボードのプラスチックの底板の内面
Ｄ  キーボードのプラスチックの底板の外面
Ｅ  底板の内部に張り付けた炭素フイルムヒーター
Ｆ  底板の外部に張り付けた炭素フイルムヒーター
Ｇ  リード線
Ｆ  リード線
【手続補正５】
【補正対象書類名】図面
【補正対象項目名】図１
【補正方法】変更
【補正の内容】
【図１】
0003130594.tif 000006
(57)【要約】【課題】ネックストラップに追加した吸盤又はマグネット板により冷蔵庫、自動車そして携帯助聴器等と一体化して音源の位置決めとハンドリングに於けるマンマシンインターフェイス向上を計れる吸盤付き携帯電話器。【解決手段】  携帯電話器２に吸盤又はマグネット板１を接着剤で接着する事により、マンマシンインターフェイス向上を計る吸盤付き携帯電話器。【選択図】          図１
0003130549.tif 000002
【実用新案登録請求の範囲】
【請求項１】
ゴム又はプラスチック製の吸盤又はマグネット吸着板を接着する事に於て音源の位置決めとハンドリングに於てマンマシンインターフェイス向上を計った吸盤付き携帯電話器。
【考案の詳細な説明】
【技術分野】
【０００１】
本考案は、従来の携帯電話器としての首から下げて携帯に便利、ネックストラップ付きの吸盤付き携帯電話器。
【背景技術】
【０００２】
ネックストラップ付きの吸盤付き携帯電話器は、携帯電話器と人体を首から下げるひもにより音源の位置決めとハンドリングに於けるマンマシンインターフェイス向上を計っているものである。
【考案の開示】
【考案が解決しようとする課題】
【０００３】
しかしながら、携帯助聴器や台所仕事との音源の位置決めとハンドリングに於けるマンマシンインターフェイス向上に同時に２つ以上のものを取り扱う事に於て難があった。
【０００４】
本考案は上記実情に鑑みてなされたものであり、ネックストラップに追加した吸盤又はマグネット板により携帯助聴器や台所仕事の冷蔵庫に吸着させることにより音源の位置決めとハンドリングに於けるマンマシンインターフェイス向上を計ることを目的としている。
【課題を解決するための手段】
【０００５】
上記目的を達成するための考案は、同時に２つ以上のものを取り扱うことであり、次の構成を含むことを特徴としている。
携帯助聴器、自動車、ＴＶリモコンスイッチ、冷蔵庫等にその有する吸盤又はマグネット板により２つのものを吸着させて一体化する事によりマンマシンインターフェイス向上を計るものである。
【考案の効果】
【０００６】
本考案により音源の位置決めとハンドリングに於けるマンマシンインターフェイス向上を計る事により携帯電話器（福祉機器）の普及を計ることができる。２つの携帯電話器を音響（通話）カプラーとして片手で運用できる効果がある等。
【考案を実施するための最良の形態】
【０００７】
本考案の実施形態の一例について、図面を参照しながら説明する。
携帯電話器２に吸盤又はマクネット板１を接着剤で接着させる事により、運用時に、携帯電話や冷蔵庫に吸着させ音源の位置決めとハンドリングのマンマシンインターフェイス向上を計る吸盤付き携帯電話器。
【図面の簡単な説明】
【０００８】
【図１】本考案の吸盤付き携帯電話器を示す図である。
【符号の説明】
【０００９】
１        吸盤又はマグネット板
２        携帯電話器
【図１】
0003130549.tif 000003
(57)【要約】      （修正有）【課題】均一の形状・重さの合成樹脂を６本用意し、それぞれの素材を一定の法則に基づいて組み合わせていくことを特徴とするセパタクローボールを提供する。【解決手段】板状の合成樹脂６本を組み合わせることにより、１２の穴と２０の交点を持ち、形状・重さ・外径  が均一のセパタクローボール。【選択図】図１
0003130771.tif 000002
【実用新案登録請求の範囲】
【請求項１】
板状の合成樹脂６本を組み合わせ１２の穴と２０の交点を持つ様に作られた合成樹脂製のセパタクローボール。
【考案の詳細な説明】
【考案の詳細な説明】
この考案はセパタクローというスポーツに使用されるボールに関するものである。
従来のセパタクローボールは植物の籐で作られていた為、素材の重さも違い、編み方も様々であった為、形状や重さ、外径を均一にすることは不可能であった。
本考案は、その欠点を除く為になされたもので、これを図面について説明すれば、まず均一の形状・重さの合成樹脂（図７）を６本用意する。
図７の溝（１）はそれぞれの素材が重なり合う部分で、より球形を帯びる様になされた工夫で、その部分は若干薄くもある。
用意した６本のうちの１本の端と端を金具でとめ、輪状にする。（図２）
残りの５本は図３に示した通りにそれぞれが「上・下・上・下」となる様に組む。（図３）
そして、他の素材の下側にある５本の素材の端（図３で「×」印をつけた部分）を図２の輪の内側に入れる。（図４）
次に、輪の外側に残った素材を内側に入れた素材と交差させる。（図５）
これで半分ができあがり、残りの半分は各素材の端と端を金具でとめていきます。
ここで注意すべき点は、金具でとめようとする素材が他の素材に対し「上・下・上・下・・・」となっていること。（図６）
全ての素材の端と端が上記の方法でとめ終わったら完成。（図１）
本考案は、この様に均一の素材６本を一定の法則に基づいて組み合わせることにより、形状・外径・重さが均一の合成樹脂製のセパタクローボールを作成することができる。
【図面の簡単な説明】
【図１】本考案の完成品の斜視図である。
【図２】本考案で使用する６本の素材のうちの１本の端と端を金具でとめ、輪状にしたものの斜視図である。
【図３】本考案で使用する６本の素材のうちの５本（１本１本を簡素化し直線で表現）を組み合わせたものの平面図である。
0003130771.tif 000003
【図７】本考案に使用される６本の素材のうちの１本の平面図である。
【符号の説明】
１  それぞれの素材を重ねる時に使用する「溝」
【図１】
0003130771.tif 000004
【図２】
0003130771.tif 000005
【図３】
0003130771.tif 000006
【図４】
0003130771.tif 000007
【図５】
0003130771.tif 000008
【図６】
0003130771.tif 000009
【図７】
0003130771.tif 000010
【手続補正書】
【提出日】平成19年1月9日(2007.1.9)
【手続補正１】
【補正対象書類名】明細書
【補正対象項目名】００５８
【補正方法】変更
【補正の内容】
【００５８】
【図１】図７の素材６本を図２→図６の手順で組み合わせていき６本全ての素材の端と端を金具でとめた本考案の完成品の斜視図である。
【図２】本考案で使用する６本の素材のうちの１本の端と端を金具でとめ、輪状にしたものの斜視図である。
【図３】本考案で使用する６本の素材のうちの５本（１本１本を簡素化し直線で表現）を組み合わせたものの平面図である。
【図４】本考案の６本の素材の組み合わせ方の過程を示した斜視図である。
【図５】本考案の６本の素材の組み合わせ方の過程を示した斜視図である。
【図６】本考案の６本の素材の組み合わせ方の過程を示した斜視図である。
【図７】本考案で使用する６本の板状の素材のうちの１本を簡素化せずに描いた平面図で、８箇所の溝を特徴とする。
【符号の説明】
１  それぞれの素材を重ねる時に使用する「溝」
【手続補正２】
【補正対象書類名】図面
【補正対象項目名】図７
【補正方法】変更
【補正の内容】
【図７】
0003130771.tif 000011
(57)【要約】      （修正有）【課題】水道の圧力を利用して、自動車等の洗車作業を簡便に、そしてより楽に出来るようにする。【解決手段】水道ホースの先端に本考案の水道圧回転洗車具の送水管を接続して送水することにより、放水口の複数ケ所から、一斉に射水して複数の受け羽根に当たり、その圧力によって、スポンジを具備した回転ドラムが回転する。その水が下部に落ち，流れて、車体をあらう。【選択図】図１
0003130775.tif 000002
【実用新案登録請求の範囲】
【請求項１】
水道圧力を利用した自動回転の装置を具備する洗車等洗具。
【考案の詳細な説明】
【技術分野】
【０００１】  本考案は、水道の圧力を利用して、自動車等の洗車作業を簡便そして、より楽に作業が出来る、事を目的として両手、手動から片手自動に、進化させた。
【背景技術】
【０００２】  現在は、洗具と，ホースを、左右の手で、操作する方法で、幾つかの問題点を抱えている。
【考案の開示】
【考案が解決しようとする課題】
【０００３】  現在の洗車方法は、左手で洗車具、右手で水道ホース側を持ち、互いの、タイミングで、作業を行っているが、水の無駄もあるし、衣服に飛散したり車体の全体を一様に洗う事は、難しい。
【課題を解決するための手段】
【０００４】  前記を理想的に改善するには、離れたところで，楽に平均に節水、又、水の飛散も最小限に、且つ作業時間も、少なくする事が重要で、それらの悪条件を、クリアーするために、考案した。
【考案の効果】
【０００５】  作業が早い、水の飛散が少ない、今まで洗い難かった屋根の部分や、下部の所まで楽に片手が伸びて、きれいに洗えて楽しい程の作業になる。
【考案実施の形態】
【０００６】  水道ホースの先端に本考案の水道圧回転洗車具の送水管を接続して送水することにより、放水口の複数ケ所から、一斉に射水して複数の受け羽根に当たり、その圧力によって、スポンジを具備した回転ドラムが回転する。その水が下部に落ち，流れて、車体をあらう。又液体洗剤を使用して汚れを落とす事も、可能である。
【図面の簡単な説明】
【図１】  本考案に係わる平面図  断面
【図２】  本考案に係わる立面図  断面
【図１】
0003130775.tif 000003
【図２】
0003130775.tif 000004
【手続補正書】
【提出日】平成18年11月22日(2006.11.22)
【手続補正１】
【補正対象書類名】図面
【補正対象項目名】全図
【補正方法】変更
【補正の内容】
【図１】
0003130775.tif 000005
【図２】
0003130775.tif 000006
(57)【要約】【課題】経済的にも安価、効果的で人々の野外活動に、又予期しない災害時にも対応できる優れものである。【解決手段】  出入り口を有し気体を充填した袋状の屋根部と浮き袋状床部に囲われた部屋を有するエアハウス。【選択図】  図１
0003130779.tif 000002
【実用新案登録請求の範囲】
【請求項１】
出入り口を有し気体を充填した袋状の屋根部と浮き袋状床部に囲われた部屋を有するエアハウス。
【請求項２】
屋根部と土台部を合体部材により分離、接合を可能とした請求項1記載のエアハウス。
【考案の詳細な説明】
【技術分野】
【０００１】
本考案はキャンプ用、災害時の緊急用物資として素早く設置できるエアハウスに関するものである。
【背景技術】
【０００２】
従来の簡易ハウス(フレハブ)は、専ら作業用、避難用にも使われては居ますが緊急用としてはなかなか設置や輸送が難しく緊急用にはまだまだ不十分である。
【０００３】
而して、上記簡易ハウス(フレハブ)は輸送組み立てには時間が掛かり過ぎ、使用後の解体輸送、保管も大変な状況に陥る。
【考案の開示】
【考案が解決しようとする課題】
【０００４】
本考案は災害時における人々の難儀を一時でも早く対応出来、輸送、設置も素早く簡単に道具も使わず誰でも設置が可能である。又個々の野外活動にも適しており一家に一つエアハウスあれば大変便利でご家族のキャンプなどにも最適である。
【課題を解決するための手段】
【０００５】
本考案は簡易ハウス全体を否定するのではなく緊急時に於いて一時も早く人々の難儀を少しでも早く和らげて上げる様に出来るエアハウスを提供するものであり又個人で持つことにより災害時、キャンプなどにもエアハウスを利用でき便利で使い勝手の良いエアハウスを提供するものである。
【考案の効果】
【０００６】
現在の地球環境は，何処に天災が起こる可も判らない状況に見舞われている、その災害時に素早く態様が出来，又個々に於かれても野外活動にも適している。
【考案を実施するための最良の形態】
【０００７】
本考案はご家族の人数に合わせて９.９ｍ２から１９.８ｍ２その他要望に合わせて大きさは自由に製造すれば良い。キャンプ時にはエアコンプレサーを利用、災害事にはエアボンベ附きも使用できる。屋根部と土台部とはチャック、又はフックボタンを用い組み建て、土台部の床面は水害時の避難用の浮き袋として、用いるため強度が必要である。災害時輸送、格納にも大変便利である。
【実施例】
【０００８】
以下，添付書面に従って実施例を説明する。機能性，利便性を重要視し，耐久性，安全性も兼ね備えたものである。図１屋根部１と土台部２を着脱するチャック８によりコンパクトに成り、組み立て，輸送，収納も便利になる。
【産業上の利用可能性】
【０００９】
本孝案はご家族のキャンプにも適しており、もしもの災害時のときなどにいち早く対応できる優れものである。一家に一つ有れば必ず役に立つ。又、今の地球環境は、何処に於いても災害が起きても不思議ではない状況下に有り各国に於いてエアハウスを備えている事が大変大事な状況に成っている。
【図面の簡単な説明】
【００１０】
【図１】本考案に係るエアハウスの正面から見た図である。
【図２】上部から見た図である。
【図３】土台部と屋根部の合体部材の一部詳細を示す図。
【図４】土台部2と合体部材8を全周に設ける。
【符号の説明】
【００１１】
１  エアハウス屋根部
２  土台部
３  表札
４  窓
５  入り口
６  扉
７  固定フック  
８  合体部材(チャック)
９  カバー
10  バルブ口
11  床部
【図１】
0003130779.tif 000003
【図２】
0003130779.tif 000004
【図３】
0003130779.tif 000005
【図４】
0003130779.tif 000006
【手続補正書】
【提出日】平成19年1月29日(2007.1.29)
【手続補正１】
【補正対象書類名】実用新案登録請求の範囲
【補正対象項目名】請求項２
【補正方法】変更
【補正の内容】
【請求項２】
屋根部と土台部をチャック又はフックボタンよる合体部材により分離、接合
を可能とした請求項1記載のエアハウス。
(57)【要約】      （修正有）【課題】発泡材料同士の結合強度における欠点を解決すべく、発泡材料の相互の結合構造を提供する。【解決手段】円形の発泡材料２１と発泡材料２２との結合時に、円盤状の底部ならびに複数の上向きの突起を具有する結合面３を穿設することで溶接面積を増加させ、結合を更に堅牢にする。【選択図】図３
0003130778.tif 000002
【実用新案登録請求の範囲】
【請求項１】
発泡材料の相互の結合構造において、
円形の発砲材料と、該円形の発砲材料を結合させる発砲材料と、
円盤状の底部と複数の上向きの突起を具有する結合面とを有し、
円形の発泡材料と発泡材料を結合させる際、円盤状の底部と複数の上向きの突起を具有する結合面を穿設し、該結合面の円盤状の底部により、溶接時の溶接面積を拡大し、複数の該突起により該円形の発泡材料の結合面が更に多方面で接触するようにし、溶接面積を増加させることにより、
構造を強化することを特徴とする発泡材料の相互の結合構造。
【考案の詳細な説明】
【技術分野】
【０００１】
本考案は発泡材料の相互の結合構造に係り、特に円形の発泡材料と発泡材料との間の結合において、円盤状の底部ならびに複数の突起を具有する結合面を穿設し、該結合面の円盤状の底部で溶接時の溶接面積を拡大し、また複数の該突起により該円形の発泡材料と結合面が多方面で接触するようにすることで、溶接面積を増加させ、結合を堅牢にして外力により破損を受けにくくした発泡材料の相互の結合構造に関わる。
【背景技術】
【０００２】
公知における発泡材料の相互の結合構造においては、図１に示すように、円形の発泡材料１１を発泡材料１２の接合面１３に直接接合している。また図２に示すように、外縁溶接方式１４で両者の発泡材料を接合している。
【考案の開示】
【考案が解決しようとする課題】
【０００３】
上述のように、公知における発泡材料同士の結合は外縁溶接方式によるものであることから、円周部分しか溶接されず、空洞が生じることで、完成した製品の強度が劣り、壊れやすいといった欠点がある。
そこで公知の発泡材料同士の結合強度における欠点を解決すべく、本考案の発泡材料の相互の結合構造を提供する。
【課題を解決するための手段】
【０００４】
主に円形の発泡材料と発泡材料との結合時に、円盤状の底部ならびに複数の上向きの突起を具有する結合面を穿設し、該結合面の円盤状の底部の設計により、溶接の際の溶接面積を拡大し、また複数の上向きの突起により、円形の発泡材料と結合面とが更に多くの方面で接触するようにして溶接部分を増加させ、更に嵌合方式と周囲方式により溶接面積を増加させることにより、結合を更に堅牢にし、外力を受けても破損しにくい構造を提供する。
【考案の効果】
【０００５】
本考案によると、簡単な工夫により構造を更に堅牢にし、使用に耐え得る製品構造を提供することに成功した。
【考案を実施するための最良の形態】
【０００６】
図３に示すように、本考案は円形の発泡材料２１と発泡材料２２を接合する際、結合面３を穿設し、更に該結合面３には複数の上向きの突起を設け、該円形の発泡材料２１と該結合面３が更に多方面において接触するようにして溶接部分を増加させると共に、円盤状の底部の設計により溶接面積を増加させ、構造を更に堅牢で壊れにくいものとする。
図４に示すように、該結合面３は複数の上向きの突起を設け、該円形の発泡材料２１と嵌合式の溶接方式２６を結合するようにし、また円盤状の底部が周囲溶接方式２４により該発泡材料２２を溶接する。嵌合方式と周囲方式の溶接により、溶接部分が更に多くなるようにし、溶接面積が大きくなることにより、空洞部分２５を少なくし、製品を使用する際に堅牢で壊れにくい目的を達成する。
【図面の簡単な説明】
【０００７】
【図１】公知における発泡材料の分解図である。
【図２】公知における発泡材料の結合後の断面図である。
【図３】本考案の分解図である。
【図４】本考案の結合後の断面図である。
【図５】公知における発泡材料の結合を示す図である。
【図６】本考案における結合を示す図である。
【符号の説明】
【０００８】
１１，２１  円形発泡材料
１２，２２  発泡材料
１３，２３  結合面
１４  溶接部（外縁溶接）
２４  溶接部（周囲溶接）
２６  溶接部（嵌合式溶接）
１５，２５  空洞部分
３  結合面
【図１】
0003130778.tif 000003
【図２】
0003130778.tif 000004
【図３】
0003130778.tif 000005
【図４】
0003130778.tif 000006
【図５】
0003130778.tif 000007
【図６】
0003130778.tif 000008
【手続補正書】
【提出日】平成19年1月26日(2007.1.26)
【手続補正１】
【補正対象書類名】実用新案登録請求の範囲
【補正対象項目名】全文
【補正方法】変更
【補正の内容】
【実用新案登録請求の範囲】
【請求項１】
発泡材料の相互の結合構造において、
円形の発泡材料と、該円形の発泡材料を結合させる発泡材料と、
円盤状の底部と複数の上向きの突起を具有する結合面とを有し、
円形の発泡材料と発泡材料を結合させる際、円盤状の底部と複数の上向きの突起を具有する結合面を穿設し、該結合面の円盤状の底部により、溶接時の溶接面積を拡大し、複数の該突起により該円形の発泡材料の結合面が更に多方面で接触するようにし、溶接面積を増加させることにより、
構造を強化することを特徴とする発泡材料の相互の結合構造。